(57)【要約】【課題】ブロンジングが防止されかつ色再現性が改善された記録物を得る。【解決手段】少なくとも、シアンインク組成物、マゼンタインク組成物、及びイエローインク組成物を用いて記録して、記録媒体上に画像を形成した後、当該記録媒体を前記イエローインク組成物でオーバーコートする。前記オーバーコートは、前記イエローインク組成物を当該記録媒体上へ記録ｄｕｔｙ１０％以下にてオーバーコートし、記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行うことが好ましい。【選択図】      なし【特許請求の範囲】
【請求項１】
少なくとも、シアンインク組成物、マゼンタインク組成物、及びイエローインク組成物を用いて記録して、記録媒体上に画像を形成した後、当該記録媒体を前記イエローインク組成物でオーバーコートするインクジェット記録方法。
【請求項２】
前記オーバーコートは、前記イエローインク組成物を当該記録媒体上へ記録ｄｕｔｙ１０％以下にてオーバーコートする請求項１記載のインクジェット記録方法。
【請求項３】
記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行う請求項１又は２記載のインクジェット記録方法。
【請求項４】
記録媒体上のシアンインク組成物による記録部のみを、前記イエローインク組成物によってオーバーコートする請求項１〜３のいずれかに記載のインクジェット記録方法。
【請求項５】
前記イエローインク組成物は、顔料と、当該顔料を分散させるための高分子分散剤と、を含む請求項１〜４のいずれかに記載のインクジェット記録方法。
【請求項６】
前記顔料は、Ｃ．Ｉ．ピグメントイエロー７４、１１０、１２８から選ばれる１種又は２種以上である請求項５記載のインクジェット記録方法。
【請求項７】
少なくとも、シアンインク組成物、マゼンタインク組成物、及びイエローインク組成物を用いて記録して、記録媒体上に画像を形成する手段と、
当該記録媒体を、前記イエローインク組成物によってオーバーコートする手段と、を含み、
前記オーバーコートは、前記イエローインク組成物を当該記録媒体上へ記録ｄｕｔｙ１０％以下にてオーバーコートし、
記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行うインクジェット記録システム。
【請求項８】
請求項７に記載の記録システムによって記録が行われた記録物。
【発明の詳細な説明】
【０００１】
【発明の属する技術分野】
本発明は、インクジェット記録方法及び記録システムに関し、特に、ブロンジングが防止されかつ色再現性が改善された記録物を提供し得る、インクジェット記録方法等に関する。
【０００２】
【従来の技術】
インクジェット記録方法は、インク組成物の小滴を飛翔させ、これを紙等の記録媒体に付着させて記録を行う印刷方法である。この方法は、比較的安価な装置を用いながら、解像度が高く鮮明な画像を高速に印刷することができるという特徴を有する。
【０００３】
インクジェット記録用インクとしては安全性や印字特性の面から主として水系のものが使用されており、着色剤に水溶性染料が使用されていることが多く、このため記録物の耐光性や耐水性が劣るという欠点を有していた。
【０００４】
記録物の耐光性や耐水性を得るため、着色剤に顔料を用いた場合でも、反射光が顔料本来の色とは補色をなす色が観察されるブロンジング（ブロンズ現象）が生じ色再現性を損なうなどの問題があった。ブロンジングは顔料粒子の表面ないしは界面における光の選択的な反射によって反射光の中に顔料の吸収帯に近い波長成分が多くなることによって生じる。特に、シアンインク組成物に含まれるシアン顔料は、反射光が赤色に着色し、画質を著しく悪化させる。
【０００５】
記録方法に関して、特開２００１−３２８１６８号、特開２００２−２９１３９号、特開２００２−１７８６２３号の各公報には、熱可塑性樹脂層を有する記録媒体上に顔料で印刷したのち、加熱及び加圧処理する方法が報告されている。しかしながら、これらの方法では、顔料を樹脂で被覆した形で画像を形成するため、顔料粒子の表面ないしは界面によって生じるブロンジングは低減されるが、加熱及び加圧処理を行うための装置が必要であり、装置の大型化、複雑化、及びコストアップにつながるという問題があった。
【０００６】
また、特開２００２−１４４５５１号公報には、成膜形成能を有するオーバーコート液を用いて記録表面に樹脂層を形成する方法が報告されている。この方法においても顔料粒子が被覆されるためブロンジングは低減される。しかしながら、画像形成用のインクセット、カートリッジ、ノズルの他に、別途、オーバーコート液用のカートリッジやノズルを設ける必要があるため、記録装置が大型化し、コストアップにつながるという問題があった。
【０００７】
【特許文献１】特開２００１−３２８１６８号公報
【特許文献２】特開２００２−２９１３９号公報
【特許文献３】特開２００２−１７８６２３号公報
【特許文献４】特開２００２−１４４５５１号公報
【発明が解決しようとする課題】
そこで、本発明の目的は、ブロンジングが防止されかつ色再現性が改善された記録物を提供し得る、インクジェット記録方法及び記録システムを提供することにある。
【０００８】
【課題を解決するための手段】
本発明者は、鋭意検討した結果、少なくとも、シアンインク組成物、マゼンタインク組成物、及びイエローインク組成物を用いて記録して、記録媒体上に画像を形成した後、当該記録媒体を前記イエローインク組成物でオーバーコートするインクジェット記録方法により、ブロンジングが防止されかつ色再現性が改善された記録物が得られることを知見した。
【０００９】
すなわち、本発明のインクジェット記録方法は少なくとも、シアンインク組成物、マゼンタインク組成物、及びイエローインク組成物を用いて記録して、記録媒体上に画像を形成した後、当該記録媒体を前記イエローインク組成物でオーバーコートするものである。
【００１０】
前記オーバーコートは、前記イエローインク組成物を当該記録媒体上へ記録ｄｕｔｙ１０％以下にてオーバーコートするものであることが好ましい。
【００１１】
上記においては、記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行うことが好ましい。
【００１２】
上記においては、記録媒体上のシアンインク組成物による記録部のみを前記イエローインク組成物によってオーバーコートすることが好ましい。
【００１３】
前記イエローインク組成物は、顔料と、当該顔料を分散させるための高分子分散剤と、を含むことが好ましい。
【００１４】
前記顔料は、Ｃ．Ｉ．ピグメントイエロー７４、１１０、１２８から選ばれる１種又は２種以上であることが好ましい。
【００１５】
本発明のインクジェット記録システムは、少なくとも、シアンインク組成物、マゼンタインク組成物、及びイエローインク組成物を用いて記録して、記録媒体上に画像を形成する手段と、
当該記録媒体を、前記イエローインク組成物によってオーバーコートする手段と、を含み、前記オーバーコートは、前記イエローインク組成物を当該記録媒体上へ記録ｄｕｔｙ１０％以下にてオーバーコートし、記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行うものである。
【００１６】
本発明の記録物は、上記記録システムによって記録が行われたものである。
【００１７】
【発明の実施の形態】
（インクジェット記録方法）
以下、本発明のインクジェット記録方法の好ましい実施形態について説明するが、本発明がこれらに限定されないことはいうまでもない。
【００１８】
本発明のインクジェット記録方法は、少なくとも、シアンインク組成物、マゼンタインク組成物、及びイエローインク組成物を用いて記録して、記録媒体上に画像を形成した後、当該記録媒体を前記イエローインク組成物でオーバーコートするものである。
【００１９】
「シアンインク組成物」「マゼンタインク組成物」「イエローインク組成物」は、それぞれシアン顔料、マゼンタ顔料、イエロー顔料を含むインク組成物である。
【００２０】
このように構成することにより、別途オーバーコート液用のカートリッジやノズル等を設ける必要なしに、ブロンジングが防止されかつガマット損失を減少させて色再現性が改善された記録物を得ることができる。
前記オーバーコートは、前記イエローインク組成物を当該記録媒体上へ記録ｄｕｔｙ１０％以下にてオーバーコートするものであることが好ましい。
「ｄｕｔｙ」とは、下式で算出される値である。
【００２１】
ｄｕｔｙ（％）＝実印字ドット数／（縦解像度×横解像度）×１００
（式中、「実印字ドット数」は単位面積当たりの実印字ドット数であり、「縦解像度」及び「横解像度」はそれぞれ単位面積当たりの解像度である。ｄｕｔｙ１００％とは、画素に対する単色の最大インク重量を意味する。）
このように構成することにより、一層、ブロンジングが防止されかつガマット損失を減少させて色再現性が改善された記録物を得ることができる。
【００２２】
記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行うことが好ましい。
【００２３】
色相角Ｈ°は、Ｈ°＝ｔａｎ−１（ｂ＊／ａ＊）＋１８０（ａ＊  ＜０の場合）、またはＨ°＝ｔａｎ−１（ｂ＊／ａ＊）＋３６０（ａ＊  ＞０の場合）により求められる。ａ＊  及びｂ＊  は、ＣＩＥＬＡＢ色空間において定義される知覚色度指数を表わす。
【００２４】
このように構成することにより、一層、ブロンジングが防止されかつガマット損失を減少させて色再現性が改善された記録物を得ることができる。
【００２５】
上記においては、記録媒体上のシアンインク組成物による記録部のみを前記イエローインク組成物によってオーバーコートすることが好ましい。
【００２６】
ここで、「シアンインク組成物による記録部のみ」とは、記録媒体上においてシアンインク組成物が付着した部分のみ、という意味である。
【００２７】
このようにシアンインク組成物による記録部のみを上記ｄｕｔｙのイエローインク組成物でオーバーコートすることにより、一層、ブロンジングが防止されかつ色再現性が改善された記録物を得ることができる。
【００２８】
前記イエローインク組成物は、顔料と、当該顔料を分散させるための高分子分散剤と、を含むことが好ましい。
【００２９】
着色剤としての顔料は、特に限定されず、通常のインクジェット記録用カラーインク組成物に含まれる着色剤を用いることができる。
【００３０】
イエローインク組成物及びライトイエローインク組成物の着色剤としては、イエロー顔料が好適に用いられる。該イエロー顔料としては、Ｃ．Ｉ．ピグメントイエロー７４、８１、８３、９３、１０９、１１０、１２０、１２８、１３８、１３９、１５０、１５１、１５４、１５５、１７３、１８０、１８５、１９５等が挙げられる。
【００３１】
特に、イエロー顔料として、Ｃ．Ｉ．ピグメントイエロー７４、１１０、１２８から選ばれる１種又は２種以上であることが好ましい。
【００３２】
シアンインク組成物及びライトシアンインク組成物の着色剤としては、シアン顔料が好適に用いられる。該シアン顔料としては、Ｃ．Ｉ．ピグメントブルー１５：３、１５：４、６０、１、２、３、１６、２２、１５：３４等が好ましく用いられ、特にＣ．Ｉ．ピグメントブルー１５：３、１５：４が好ましい。
【００３３】
マゼンタインク組成物及びライトマゼンタインク組成物の着色剤としては、マゼンタ顔料が好適に用いられる。該マゼンタ顔料としては、Ｃ．Ｉ．ピグメントレッド１２２、２０２、２０９、１１２、１２３、１６８、１８４、５、７、１２、４８（Ｃａ）、４８（Ｍｎ）、５７（Ｃａ）、５７：１及びＣ．Ｉ．ピグメントバイオレット１９等が好ましく用いられ、特にＣ．Ｉ．ピグメントレッド１２２と２０２が好ましい。
【００３４】
本発明のインクセットは、上記の他、ブラックインク組成物、レッドインク組成物、バイオレットインク組成物、ブルーインク組成物、ライトブラックインク組成物、グリーンインク組成物、ダークイエローインク組成物、オレンジインク組成物等を備えていてもよい。
【００３５】
ブラックインク組成物（Ｋ）の着色剤としては、ブラック顔料が好適に用いられる。該ブラックインク顔料としては、カーボンブラック等が挙げられる。
【００３６】
着色剤である顔料の含有量は、各インク組成物中、好ましくは    ０．５重量％以上、１５重量％以下であり、さらに好ましくは    ０．７重量％以上、１２重量％以下である。着色剤の含有量は、インク組成物の種類に応じて適宜調整される。
【００３７】
前記イエローインク組成物は、着色剤としての顔料を、高分子分散剤によって水性媒体中に分散させて得られる顔料分散液を含有する。
【００３８】
高分子分散剤としては、特に限定されず、通常のインクジェット記録用カラーインク組成物に分散剤として含まれる樹脂を用いることができる。
【００３９】
高分子分散剤としては、メタアクリル系樹脂、酢酸ビニル系樹脂、スチレン−ブタジエン系樹脂、塩化ビニル系樹脂、メタアクリル−スチレン系樹脂、ブタジエン系樹脂、スチレン系樹脂、架橋メタアクリル樹脂、架橋スチレン樹脂、ベンゾグアナミン樹脂、フェノール樹脂、シリコーン樹脂、エポキシ樹脂等が挙げられる。
【００４０】
高分子分散剤の添加量は、各インク組成物中、固形分換算で顔料１００重量部に対して、好ましくは１０重量部以上、２００重量部以下、更に好ましくは２０重量部以上、１２０重量部以下である。
【００４１】
前記水性媒体としては、インクジェット記録用の水性インク組成物に一般的に用いられる溶媒が用いられ、水の他に一種又は二種以上の水溶性有機溶媒が用いられる。
【００４２】
前記水溶性有機溶媒の好ましい例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノール、１，２−アルカンジオール類（好ましくは１，２−Ｃ４−１０アルカンジオールであり、さらに好ましくは１，２―ヘキサンジオールである）、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類、エチレングリコールモノエチルエーテル、エチレングリコールモノブチルエーテル、ジエチレングリコールモノメチルエーテル、ジエチレングリコールモノエチルエーテル、トリエチレングリコールモノメチルエーテル、トリエチレングリコールモノエチルエーテル、トリエチレングリコールモノブチルエーテル等の多価アルコールのアルキルエーテル類、尿素、２−ピロリドン、Ｎ−メチル−２−ピロリドン、１，３−ジメチル−２−イミダゾリジノン、トリエタノールアミン等が挙げられる。これらの水溶性有機溶媒の一種又は二種以上を用いて、粘度、保湿性を適宜調整する。
【００４３】
前記水溶性有機溶媒の添加量は、各インク組成物中、好ましくは１重量％以上、５０重量％以下であり、より好ましくは２重量％以上、４０重量％以下である。
【００４４】
本発明の各インク組成物は、さらに、アセチレングリコール系化合物、アセチレンアルコール系化合物、又はポリシロキサン系化合物のいずれかを界面活性剤として含有してもよい。
【００４５】
これにより、記録紙上でインクを浸透させて広げることができるため、オーバーコートの際に有利であり、ブロンジング抑制及び色再現性改善という本発明の効果を維持することができる。
【００４６】
界面活性剤の含有量は、各インク組成物中、好ましくは０．１重量％以上、３．０重量％以下であり、より好ましくは０．１重量％以上、１．５重量％以下である。
【００４７】
アセチレングリコール系化合物としては、オルフィンＥ１０１０、ＳＴＧ、Ｙ（何れも商品名、日信化学社製）、サーフィノール８２、１０４、４４０、４６５、４８５（何れも商品名、Ａｉｒ  Ｐｒｏｄｕｃｔｓ  ａｎｄ  Ｃｈｅｍｉｃａｌｓ  Ｉｎｃ．製）等の市販品を用いることができる。
【００４８】
アセチレンアルコール系化合物としては、３，５−ジメチル−１−ヘキシン−３オール、２，４−ジメチル−５−ヘキシン−３−オール、サーフィノール６１（商品名、Ａｉｒ  Ｐｒｏｄｕｃｔｓ  ａｎｄ  Ｃｈｅｍｉｃａｌｓ  Ｉｎｃ．製）等を用いることができる。
【００４９】
ポリシロキサン系化合物としては、下記の式（Ｉ）で表わされる化合物等を用いることができる。
【００５０】
【化１】
2004181688.tif 000002
上記式中、Ｒ１〜Ｒ７は、独立して、Ｃ１−６アルキル基、好ましくはメチル基を表し、ｊ、ｋ、ｇは独立して１以上の整数を表し、好ましくは１〜５、より好ましくは１〜４、さらに好ましくは１又は２である。ＥＯはエチレンオキシ基を表し、ＰＯはプロピレンオキシ基を表す。ｐ及びｑは０以上の整数を表し、好ましくは１〜５であるが、但しｐ＋ｑは１以上の整数を表し、好ましくは２〜４である。ＥＯ及びＰＯは［  ］内においてその順序は問わず、ランダムであってもブロックであってもよい。
【００５１】
本発明の好ましい態様によれば、式（Ｉ）の化合物として、ｊ＝ｋ＝ｇ＝１〜３を満足するものが好ましく、より好ましくは１又は２であるものが好ましい。また、本発明の別の好ましい形態によれば、式（Ｉ）の化合物として、Ｒ１〜Ｒ７が全てメチル基を表し、ｊ＝ｋ＝ｇ＝１であり、ｐが１以上の整数、好ましくは１〜５であり、ｑが０を表すものが好ましい。
式（１）で表される化合物は市販されており、それらを利用することが可能である。例えば、ビックケミー・ジャパン（株）のシリコン系界面活性剤ＢＹＫ−３４５、ＢＹＫ−３４６、ＢＹＫ−３４７、ＢＹＫ−３４８等が好適である。
【００５２】
また、各インク組成物は、助剤をさらに含むことができる。そのような助剤としては、ｐＨ調整剤、キレート剤、防腐剤、防錆剤、酸化防止剤、紫外線吸収剤、酸素吸収剤、耐擦性向上剤等が挙げられる。
【００５３】
（インクジェット記録システム）
さらに、本発明のインクジェット記録システムについて、説明する。
【００５４】
本発明のインクジェット記録システムは、少なくとも、シアンインク組成物、マゼンタインク組成物、及びイエローインク組成物を用いて記録して、記録媒体上に画像を形成する手段と、当該記録媒体を、前記イエローインク組成物によってオーバーコートする手段と、を含み、前記オーバーコートは、前記イエローインク組成物を当該記録媒体上へ記録ｄｕｔｙ１０％以下にてオーバーコートし、記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行うことを特徴とする。
【００５５】
以下、図１〜３を参照しながら本発明のインクジェット記録システムについて説明する。図１は制御回路の構成を示すブロック図であり、図２はテーブル２９の内容の一例を示す図であり、図３は本発明のインクジェット記録システムに係るフローチャートである。
【００５６】
図１、３に示すように、当該記録システムは、いわゆるプリンタとしての構成を備え、受信バッファ２２、システムコントローラ２３、色毎に設けられたフレームメモリ２４Ｃ／Ｍ／Ｙ／Ｋ、制御部２６、色毎に設けられたプリントバッファ２５Ｍ／Ｃ／Ｙ／Ｋ、ヘッドドライバ２７、及び色毎に設けられたインクジェット記録ヘッド２８Ｃ／Ｍ／Ｙ／Ｋを備えている。さらに当該記録システムは、外部のホストコンピュータ２１と通信可能に構成されている。
【００５７】
受信バッファ２２は、ホストコンピュータ２１から送信された印刷情報を一時格納し、システムコントローラ２３の制御に基づいて順次供給することが可能になっている。また、受信バッファ２２は、システムコントローラ２３から供給された記録システムのステータス情報等を格納し、ホストコンピュータ２１に送信可能になっている。
【００５８】
フレームメモリ２４Ｃ／Ｍ／Ｙ／Ｋは、画像データを、色画像をシアン・マゼンタ・イエロー・ブラックの色別の濃度情報としてそれぞれ格納するようになっている。
【００５９】
システムコントローラ２３は、ＣＰＵ、ＲＡＭ、ＲＯＭ等を内蔵し、ＲＯＭに格納されている所定のソフトウェアプログラムを実行することにより、本発明の記録方法を実行可能に構成されている。ＲＯＭの一部には、本発明に係るオーバーコートのためのイエローインクの記録ｄｕｔｙ（％）が予め記録されている。システムコントローラ２３は、フレームメモリ２４に格納された画像データから、実際にインクジェット記録ヘッドから吐出させるべきインクの記録ｄｕｔｙを規定する駆動データを生成するようになっている。このとき、システムコントローラ２３は、テーブル２９等を参照して、本発明に係るオーバーコートのためのイエローインクの記録ｄｕｔｙを規定する駆動データも別途生成し、プリントバッファ２５に格納するようになっている。
【００６０】
プリントバッファ２５Ｍ／Ｃ／Ｙ／Ｋは、制御部２６経由でシステムコントローラ２３から転送された駆動データを色別に格納するようになっている。
【００６１】
制御部２６は、印刷タイミングに対応させてプリントバッファ２５から順次駆動データを読み取り、ヘッドドライバ２７を制御して駆動信号が生成されるようになっている。
【００６２】
ヘッドドライバ２７は、制御部２６の制御に基づき駆動データからインクジェット記録ヘッドを駆動するために適する波形の駆動信号を色別に生成し、インクジェット記録ヘッド２８Ｃ／Ｍ／Ｙ／Ｋに供給可能になっている。
【００６３】
インクジェット記録ヘッド２８Ｃ／Ｍ／Ｙ／Ｋの構造に限定はないが、例えば圧電体駆動方式、熱膨張を利用した駆動方式、静電駆動方式が適用可能になっている。
【００６４】
上記構成において、システムコントローラ２３が各構成要素を制御し、基本的な画像データを印刷させる機能が、本発明に係る記録媒体上に画像を生成する手段に相当する。一方、オーバーコートに係る画像データを生成して記録媒体をオーバーコートする機能が、本発明に係るオーバーコートする手段に相当する。
【００６５】
次に図３を参照して、上記構成における動作を説明する。
【００６６】
ホストコンピュータ２１では印刷させるべき印刷情報が生成される。この印刷情報は赤、緑、青のいわゆるＲＧＢの三色で色濃度が規定される画像データを含んでいる。ユーザが、印刷指示をホストコンピュータ２１に入力すると、ホストコンピュータ２１から所定のフォーマットで印刷情報が受信バッファ２２に取り込まれ、受信バッファ２２に一時的に格納される。システムコントローラ２３は、受信バッファ２２から画像データに相当する部分を読み取り（Ｓ１）、ＲＧＢをＹＭＣＫに変換（Ｓ２）した後、フレームメモリ２４に各色に対応した画像データを書き込む（Ｓ３）。
【００６７】
次に、システムコントローラ２３は、フレームメモリ２４から画像データを読み取り（Ｓ４）、ＲＯＭが備えるテーブル２９を参照して各色に対応したオーバーコートのための駆動データを生成する（Ｓ５）。図２にテーブル２９の内容の一例を示すように、記録媒体上でのＣＩＥＬＡＢ色空間において定義される各色相角Ｈ°（０°≦Ｈ°＜３６０°）におけるオーバーコートのためのイエローインクの各記録ｄｕｔｙ（％）が、予めテーブル２９に記録されている。図２の場合では、色相角が０°≦Ｈ°≦１８０°においては記録ｄｕｔｙ５％で記録し、１８０°＜Ｈ°＜２７０°においては記録ｄｕｔｙが５％から０％へ徐々に減少し、２７０°において０％となり、２７０°＜Ｈ°＜３６０°においては０％から５％へ徐々に増加する駆動データを生成する。
【００６８】
このテーブル２９には、イエローインク組成物が当該記録媒体上へ記録ｄｕｔｙ１０％より大きくならず、かつ、記録媒体上でのＣＩＥＬＡＢ色空間において定義される色相角Ｈ°が１８０°＜Ｈ°＜３６０°である記録部に対する前記オーバーコートを、同色相角が０°≦Ｈ°≦１８０°である記録部に対する前記オーバーコートよりも低い記録ｄｕｔｙで行われる、という本発明の特徴を備える限りにおいて、様々なテーブルを記録しておいてもよい。また、これらオーバーコートのためのテーブル２９を、ユーザがホストコンピュータ２１において選択し、記録モードを選択できるように構成してもよい。
【００６９】
生成した駆動データは、プリントバッファ２５に書き込まれ、一時的に格納される（Ｓ６）。プリントバッファ２５に格納された記録コマンドは、制御部２６へ送信される（Ｓ７）。
【００７０】
制御部２６は、システムコントローラ２３から記録コマンドを受信すると（Ｓ８）、プリントバッファ２５から各色に対応した駆動データを読み取る（Ｓ９）。ヘッドドライバ２７は、制御部２６から受信した駆動データにより、インクジェット記録ヘッド２８の駆動を制御する（Ｓ１０）。
【００７１】
記録及びオーバーコートが終了すると、記録終了通知がシステムコントローラ２３へ送信され（Ｓ１１）、制御部はコマンド待ち状態となる（Ｓ１２）。
【００７２】
本発明のインクジェット記録システムによれば、別途オーバーコート液用のカートリッジやノズル等を設ける必要なしに、ブロンジングが防止されかつガマット損失を減少させて色再現性が改善された記録物を得ることができる。
【００７３】
なお、テーブル２９の内容を、記録媒体上のシアンインク組成物による記録部のみを、前記イエローインク組成物によってオーバーコートするように構成してもよい。
【００７４】
【実施例】
次に、本発明を実施例によりさらに具体的に説明するが、本発明はこれらの例によって何等限定されるものではない。
【００７５】
（インク組成物の調製）
以下の各インク組成物を調製した。なお、以下において、ＢＹＫ−３４８は、ビッグケミー・ジャパン（株）製のポリシロキサン系界面活性剤である。Ｊ−６１Ｊは、ジョンクリル社製の分散剤（樹脂成分３０．５重量％）である。ＭＡ−１００Ｂは、三菱化学社のカーボンブラックである。
（イエローインク▲１▼）
顔料（ＰＹ７４）                      ３．０重量％
分散剤（Ｊ−６１Ｊ）                  ５．５重量％
グリセリン                            １３．０重量％
エチレングリコール                    ３．０重量％
ＢＹＫ−３４８                        ０．３重量％
１，２−ヘキサンジオール              ５．０重量％
純水                                  残量
合計                                  １００重量％
（イエローインク▲２▼）
顔料（ＰＹ１１０）                    ３．０重量％
分散剤（Ｊ−６１Ｊ）                  ５．５重量％
グリセリン                            １２．０重量％
エチレングリコール                    ３．０重量％
ＢＹＫ−３４８                        ０．３重量％
１，２−ヘキサンジオール              ５．０重量％
純水                                  残量
合計                                  １００重量％
（イエローインク▲３▼）
顔料（ＰＹ１２８）                    ３．０重量％
分散剤（Ｊ−６１Ｊ）                  ５．０重量％
グリセリン                            １２．０重量％
エチレングリコール                    ３．０重量％
ＢＹＫ−３４８                        ０．３重量％
１，２−ヘキサンジオール              ５．０重量％
純水                                  残量
合計                                  １００重量％
（マゼンタインク）
顔料（ＰＲ２０２）                    ３．０重量％
分散剤（Ｊ−６１Ｊ）                  ５．０重量％
グリセリン                            １３．０重量％
エチレングリコール                    ３．０重量％
ＢＹＫ−３４８                        ０．４重量％
１，２−ヘキサンジオール              ５．０重量％
純水                                  残量
合計                                  １００重量％
（シアンインク）
顔料（ＰＢ１５：３）                  ２．５重量％
分散剤（Ｊ−６１Ｊ）                  ４．０重量％
グリセリン                            １５．０重量％
エチレングリコール                    ３．０重量％
ＢＹＫ−３４８                        ０．５重量％
１，２−ヘキサンジオール              ５．０重量％
純水                                  残量
合計                                  １００重量％
（ブラックインク）
顔料（ＭＡ−１００Ｂ）                ２．５重量％
分散剤（Ｊ−６１Ｊ）                  ５．０重量％
グリセリン                            １２．０重量％
エチレングリコール                    ４．０重量％
ＢＹＫ−３４８                        ０．３重量％
１，２−ヘキサンジオール              ５．０重量％
純水                                  残量
合計                                  １００重量％
上記のそれぞれにおいて、顔料と分散剤と純水とを混合し、サンドミル（安川製作所製）中でガラスビーズ（直径１．７ｍｍ、混合物の１．５倍量（重量））とともに２時間分散させた後に、ガラスビーズを取り除き、各顔料分散液を調製した。
【００７６】
その他の成分を、顔料分散液にそれぞれ混合し、２５℃で６０分攪拌した。混合液を８μｍのメンブランフィルターで濾過し、各インク組成物を得た。
【００７７】
（実施例１）
前記イエローインク▲１▼、マゼンタインク、シアンインク、及びブラックインクの４色からなる組合せを用いてインクセットとし、これをインクジェットプリンタ（セイコーエプソン株式会社製；ＰＭ−９５０Ｃ）に充填し、インクジェット専用紙（セイコーエプソン株式会社製；ＭＣ写真用紙）に記録を行い、記録物を得た。次に、イエローインク▲１▼を全体に（色相角Ｈ°によらず一律に）ｄｕｔｙ５％でオーバーコートした。記録画像及びインクの吐出安定性は良好であった。
【００７８】
（実施例２）
出力の色相角Ｈ°に応じて図２に示すようなｄｕｔｙでイエローインク▲１▼をオーバーコートした以外は、実施例１と同様にして記録物を得た。
【００７９】
（実施例３）
実施例２において、イエローインク▲１▼に替えてイエローインク▲２▼とした以外は、実施例２と同様にして記録物を得た。
【００８０】
（実施例４）
実施例２において、イエローインク▲１▼に替えてイエローインク▲３▼とした以外は、実施例２と同様にして記録物を得た。
【００８１】
（実施例５）
実施例２において、０°≦Ｈ°≦１８０°においては一律にｄｕｔｙ５％でイエローインク▲１▼をオーバーコートし、１８０°＜Ｈ°＜３６０°の範囲においては、シアンインクによる記録部のみにイエローインク▲１▼をオーバーコートした以外は、実施例２と同様にして記録物を得た。
【００８２】
（実施例６）
すべてのＨ°において、シアンインクによる記録部のみにイエローインク▲１▼をオーバーコートした以外は、実施例２と同様にして記録物を得た。
（実施例７）
実施例２において、イエローインク▲１▼の最大ｄｕｔｙを１０％としてオーバーコートを行った（各色相角において実施例２の２倍のｄｕｔｙでオーバーコートした）以外は、実施例２と同様にして記録物を得た。
（比較例１）
実施例１において、イエローインク▲１▼によるオーバーコートをせずに記録物を得た以外は、実施例１と同様にして記録物を得た。
【００８３】
（比較例２）
実施例２において、イエローインク▲１▼の最大ｄｕｔｙを１５％としてオーバーコートを行った（各色相角において実施例２の３倍のｄｕｔｙでオーバーコートした）以外は、実施例２と同様にして記録物を得た。
【００８４】
（ブロンジングの評価）
記録後、目視により以下の基準で評価した。
【００８５】
５：ブロンジングが無い
３：ややブロンジングがある
１：ブロンジングが著しくある
（色再現性の評価）
所定のＬ＊ 値に統一された種々の色相を含むパッチパターンを、インクセット１〜５を用いて印刷し、これらを測色してａ＊、ｂ＊値を求めて色再現範囲を求めた。なお、記録物の測色は測色機ＳＰＭ−５０（Ｇｒｅｔａｇ社製）を用いた。
【００８６】
具体的には、Ｌ＊ 値が１０毎の色再現面積をＬ＊ 値０〜１００について和を求め、イエローインクによるオーバーコートを行っていない出力物における色再現面積の和を１００％としたときの値を求めて、得られた結果から色再現性を下記の基準により判定した。
【００８７】
５：１０５％を超える
４：９５％を超えて、かつ１０５％以下
３：８５％を超えて、かつ９５％以下
２：７５％を超えて、かつ８５％以下
１：７５％以下
上記実施例及び比較例について、上記評価基準にて評価した結果を表１に示す。
【００８８】
【表１】
2004181688.tif 000003
表１に示すように、実施例１〜７は、比較例１、２に比べて、ブロンジング評価、色再現性評価の双方において良好であった。また、
また、特定色相角においてシアンインクによる記録部のみにイエローインクをオーバーコートした実施例５、６は、特にブロンジング評価及び色再現性の評価結果が良好であった。
【００８９】
【発明の効果】
本発明のインクジェット記録方法及び記録システムによれば、ブロンジングが防止され、かつ色再現性が改善された記録物を得ることができる。
【図面の簡単な説明】
【図１】本発明に係るインクジェット記録システムの制御回路の構成を示すブロック図である。
【図２】テーブル２８の内容の一例を示す図である。
【図３】本発明に係るインクジェット記録方法の一例を示すフローチャートである。
【図１】
2004181688.tif 000004
【図２】
2004181688.tif 000005
【図３】
2004181688.tif 000006